【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
少なくとも１つの検索処理に対応する特性イメージが設定されている検索画面を表示するステップと、
第１の特性イメージに対応する選択命令を受信すると、前記第１の特性イメージに対応する第１の検索処理を実行して、前記第１の検索処理に対応する検索結果を取得するステップと、
前記第１の検索処理に対応する検索結果を表示するステップと、
を含み、
前記特性イメージは、対応する検索処理の検索結果の特性を示すためのものであることを特徴とする検索方法。
【請求項２】
前記少なくとも１つの検索処理に対応する特性イメージが設定されている検索画面を表示するステップは、
予め設定された過去時間内の総検索回数が最も多い所定数の検索処理に対応する特性イメージを取得するステップと、
取得した前記所定数の検索処理に対応する特性イメージが設定されている検索画面を表示するステップと、
を含むことを特徴とする請求項１に記載の検索方法。
【請求項３】
前記予め設定された過去時間内の総検索回数が最も多い所定数の検索処理に対応する特性イメージを取得するステップは、
ローカルの登録アカウントの予め設定された過去時間内の総検索回数が最も多い所定数の検索処理に対応する特性イメージを取得するステップを含むことを特徴とする請求項２に記載の検索方法。
【請求項４】
検索処理追加命令を受信し、少なくとも１つの検索処理に対応する特性イメージが表示されている検索処理追加画面を表示するステップと、
前記検索処理追加画面における第２の特性イメージに対応する選択命令を受信し、前記第２の特性イメージを前記検索画面に追加するステップと、
をさらに含むことを特徴とする請求項１に記載の検索方法。
【請求項５】
前記特性イメージの表示効果は、ダイナミック表示として設定されていることを特徴とする請求項１に記載の検索方法。
【請求項６】
少なくとも１つの検索処理に対応する特性イメージが設定されている検索画面を表示するための第１の表示モジュールと、
第１の特性イメージに対応する選択命令を受信すると、前記第１の特性イメージに対応する第１の検索処理を実行して、前記第１の検索処理に対応する検索結果を取得するための実行モジュールと、
前記第１の検索処理に対応する検索結果を表示するための第２の表示モジュールと、
を含み、
前記特性イメージは、対応する検索処理の検索結果の特性を示すためのものであることを特徴とする検索装置。
【請求項７】
予め設定された過去時間内の総検索回数が最も多い所定数の検索処理に対応する特性イメージを取得するための取得モジュールをさらに含み、
前記第１の表示モジュールは、
取得した前記所定数の検索処理に対応する特性イメージが設定されている検索画面を表示することを特徴とする請求項６に記載の検索装置。
【請求項８】
前記取得モジュールは、
ローカルの登録アカウントの予め設定された過去時間内の総検索回数が最も多い所定数の検索処理に対応する特性イメージを取得することを特徴とする請求項７に記載の検索装置。
【請求項９】
検索処理追加命令を受信し、少なくとも１つの検索処理に対応する特性イメージが表示されている検索処理追加画面を表示するための第３の表示モジュールと、
前記検索処理追加画面における第２の特性イメージに対応する選択命令を受信し、前記第２の特性イメージを前記検索画面に追加するための追加モジュールと、
をさらに含むことを特徴とする請求項６に記載の検索装置。
【請求項１０】
前記特性イメージの表示効果は、ダイナミック表示として設定されていることを特徴とする請求項６に記載の検索装置。
【請求項１１】
プロセッサと、
前記プロセッサにより実行可能な命令を記憶するためのメモリと、
を含み、
前記プロセッサは、
少なくとも１つの検索処理に対応する特性イメージが設定されている検索画面を表示し、
第１の特性イメージに対応する選択命令を受信すると、前記第１の特性イメージに対応する第１の検索処理を実行して、前記第１の検索処理に対応する検索結果を取得し、
前記第１の検索処理に対応する検索結果を表示するように構成され、
前記特性イメージは、対応する検索処理の検索結果の特性を示すためのものであることを特徴とする検索装置。
【請求項１２】
プロセッサに実行されることにより、請求項１〜５のいずれか一項に記載の検索方法を実現することを特徴とするプログラム。
【請求項１３】
請求項１２に記載のプログラムが記録された記録媒体。
【手続補正２】
【補正対象書類名】明細書
【補正対象項目名】全文
【補正方法】変更
【補正の内容】
【発明の詳細な説明】
【発明の名称】検索方法、検索装置、プログラム及び記録媒体
【技術分野】
【０００１】
本発明は、コンピュータ技術分野に関するものであり、特に、検索方法、検索装置、プログラム及び記録媒体に関するものである。
【背景技術】
【０００２】
移動端末技術の発展につれて、移動端末の用途がますます広範になり、既に人々の日常勤務や生活で最も重要な道具の一つになっている。人々は、移動端末を使用する過程において、移動端末で、例えばあるイベントに関するニュースを検索するか、ある種類のイメージを検索するなどの検索操作をよく行う。
【０００３】
ユーザは、検索する際に、例えば景色イメージのような検索しようとするキーワードを検索欄に入力した後に、検索オプションをクリックすることができ、この場合、端末は、当該キーワードに関する情報を検索し、その後、検索結果を表示することができる。例えば、ユーザが景色イメージを入力した後に検索オプションをクリックすると、端末は、検索した複数の景色イメージを表示することができる。
【発明の概要】
【発明が解決しようとする課題】
【０００４】
本発明は、関連技術に存在する問題点を解決するために、検索方法、検索装置、プログラム及び記録媒体を提供する。上記技術案は、以下のようである。
【課題を解決するための手段】
【０００５】
本発明の実施例の第１の態様によると、検索方法を提供し、上記方法は、
少なくとも１つの検索処理に対応する特性イメージが設定されている検索画面を表示するステップと、
第１の特性イメージに対応する選択命令を受信すると、前記第１の特性イメージに対応する第１の検索処理を実行して、前記第１の検索処理に対応する検索結果を取得するステップと、
前記第１の検索処理に対応する検索結果を表示するステップと、
を含み、
前記特性イメージは、対応する検索処理の検索結果の特性を示すためのものである。
【０００６】
また、前記少なくとも１つの検索処理に対応する特性イメージが設定されている検索画面を表示するステップは、
予め設定された過去時間内の総検索回数が最も多い所定数の検索処理に対応する特性イメージを取得するステップと、
取得した前記所定数の検索処理に対応する特性イメージが設定されている検索画面を表示するステップと、
を含んでもよい。
【０００７】
また、前記予め設定された過去時間内の総検索回数が最も多い所定数の検索処理に対応する特性イメージを取得するステップは、
ローカルの登録アカウントの予め設定された過去時間内の総検索回数が最も多い所定数の検索処理に対応する特性イメージを取得するステップを含んでもよい。
【０００８】
また、前記方法は、
検索処理追加命令を受信し、少なくとも１つの検索処理に対応する特性イメージが表示されている検索処理追加画面を表示するステップと、
前記検索処理追加画面における第２の特性イメージに対応する選択命令を受信し、前記第２の特性イメージを前記検索画面に追加するステップと、
をさらに含んでもよい。
【０００９】
また、前記特性イメージの表示効果は、ダイナミック表示として設定されていてもよい。
【００１０】
本発明の実施例の第２の態様によると、検索装置を提供し、上記装置は、
少なくとも１つの検索処理に対応する特性イメージが設定されている検索画面を表示するための第１の表示モジュールと、
第１の特性イメージに対応する選択命令を受信すると、前記第１の特性イメージに対応する第１の検索処理を実行して、前記第１の検索処理に対応する検索結果を取得するための実行モジュールと、
前記第１の検索処理に対応する検索結果を表示するための第２の表示モジュールと、
を含み、
前記特性イメージは、対応する検索処理の検索結果の特性を示すためのものである。
【００１１】
また、前記装置は、
予め設定された過去時間内の総検索回数が最も多い所定数の検索処理に対応する特性イメージを取得するための取得モジュールをさらに含み、
前記第１の表示モジュールは、
取得した前記所定数の検索処理に対応する特性イメージが設定されている検索画面を表示してもよい。
【００１２】
また、前記取得モジュールは、
ローカルの登録アカウントの予め設定された過去時間内の総検索回数が最も多い所定数の検索処理に対応する特性イメージを取得しもよい。
【００１３】
また、前記装置は、
検索処理追加命令を受信し、少なくとも１つの検索処理に対応する特性イメージが表示されている検索処理追加画面を表示するための第３の表示モジュールと、
前記検索処理追加画面における第２の特性イメージに対応する選択命令を受信し、前記第２の特性イメージを前記検索画面に追加するための追加モジュールと、
をさらに含んでもよい。
【００１４】
また、前記特性イメージの表示効果は、ダイナミック表示として設定されていてもよい。
【００１５】
本発明の実施例の第３の態様によると、検索装置を提供し、上記装置は、
プロセッサと、
前記プロセッサにより実行可能な命令を記憶するためのメモリと、
を含み、
前記プロセッサは、
少なくとも１つの検索処理に対応する特性イメージが設定されている検索画面を表示し、
第１の特性イメージに対応する選択命令を受信すると、前記第１の特性イメージに対応する第１の検索処理を実行して、前記第１の検索処理に対応する検索結果を取得し、
前記第１の検索処理に対応する検索結果を表示するように構成され、
前記特性イメージは、対応する検索処理の検索結果の特性を示すためのものである。
本発明の実施例の第４の態様によると、プロセッサに実行されることにより、前記の検索方法を実現することを特徴とするプログラムを提供する。
本発明の実施例の第５の態様によると、前記のプログラムが記録された記録媒体を提供する。
【００１６】
本発明の実施例に係る技術案は、下記の有益な効果を有する。
【００１７】
本発明の実施例において、少なくとも１つの検索処理に対応する特性イメージであって、対応する検索処理の検索結果の特性を示すための特性イメージが設定されている検索画面を表示し、第１の特性イメージに対応する選択命令を受信すると、第１の特性イメージに対応する第１の検索処理を実行して、第１の検索処理に対応する検索結果を取得し、第１の検索処理に対応する検索結果を表示することによって、検索しようとするキーワードを手動で入力する必要がなく、ユーザが検索画面で特性イメージを選択するだけで検索を行うことができるため、検索効率を向上させることができる。
【００１８】
以上の一般的な記述と、以下の詳細の記述は、ただ例示的なものであって、本発明を限定するものではないことを理解すべきである。
【図面の簡単な説明】
【００１９】
これらの図面は、明細書に組み入れて本明細書の一部分を構成し、本発明に該当する実施例を例示するとともに、明細書とともに本発明の原理を解釈するために用いられる。
【図１】図１は、１つの例示的な実施例に係る検索方法のフローチャートである。
【図２】図２は、１つの例示的な実施例に係る画面表示模式図である。
【図３】図３は、１つの例示的な実施例に係る画面表示模式図である。
【図４】図４は、１つの例示的な実施例に係る検索装置の模式図である。
【図５】図５は、１つの例示的な実施例に係る検索装置の模式図である。
【図６】図６は、１つの例示的な実施例に係る検索装置の模式図である。
【図７】図７は、１つの例示的な実施例に係る端末の構成模式図である。
【００２０】
上記図面を通じて本発明の明確な実施例を示し、下記にさらに詳細に説明する。このような図面と文字記述は、いずれの方式で本発明の思想の範囲を限定するためではなく、特定の実施例を参照して当業者に本発明の概念を説明するためである。
【発明を実施するための形態】
【００２１】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２２】
本発明の一つの例示的な実施例は、検索方法を提供し、図１に示されたように、当該方法の処理過程は、下記のステップを含む。
【００２３】
ステップ１０１において、少なくとも１つの検索処理に対応する特性イメージが設定されている検索画面を表示する。ここで、特性イメージは、対応する検索処理の検索結果の特性を示すためのものである。
【００２４】
ステップ１０２において、第１の特性イメージに対応する選択命令を受信すると、第１の特性イメージに対応する第１の検索処理を実行して、第１の検索処理に対応する検索結果を取得する。
【００２５】
ステップ１０３において、第１の検索処理に対応する検索結果を表示する。
【００２６】
本発明の実施例において、少なくとも１つの検索処理に対応する特性イメージであって、対応する検索処理の検索結果の特性を示すための特性イメージが設定されている検索画面を表示し、第１の特性イメージに対応する選択命令を受信すると、第１の特性イメージに対応する第１の検索処理を実行して、第１の検索処理に対応する検索結果を取得し、第１の検索処理に対応する検索結果を表示することによって、検索しようとするキーワードを手動で入力する必要がなく、ユーザが検索画面で特性イメージを選択するだけで検索を行うことができるため、検索効率を向上させることができる。
【００２７】
本発明の別の例示的な実施例は、検索方法を提供し、当該方法は、検索機能を有する端末に適用でき、当該端末は、携帯電話、タブレットＰＣなどの移動端末であってよい。端末には、検索機能を有するアプリケーションプログラムをインストールすることができ、上記端末は、入力ユニットを含んでもよく、上記入力ユニットは、キーボードであってもよく、タッチスクリーンであってもよく、マウスであってもよい。ユーザが入力ユニットを通じて、端末で希望する第１の検索処理に対応する第１の特性イメージを選択すると、端末は、上記第１の特性イメージに対応する選択命令を検出する。上記端末は、プロセッサを含んでもよく、上記プロセッサは、検出した上記選択命令に基づいて上記第１の検索処理を実行し、上記第１の検索処理に対応する検索結果を取得することができる。上記端末は、表示ユニットを含んでもよく、上記表示ユニットは、ＬＣＤであってもよく、表示ユニットは、上記第１の検索処理に対応する検索結果を表示することができる。また、上記端末は、メモリ、センサ、オーディオ回路、及び電源などの部品をさらに含んでもよい。
【００２８】
下記に、実施形態と合わせて、図１に示された処理過程を詳細に説明すると、その内容は、以下のようである。
【００２９】
ステップ１０１において、少なくとも１つの検索処理に対応する特性イメージが設定されている検索画面を表示する。ここで、特性イメージは、対応する検索処理の検索結果の特性を示すためのものである。
【００３０】
実施する際に、ユーザは、端末に検索機能を有するアプリケーションプログラムをインストールすることができ、ユーザが端末で当該アプリケーションプログラムに対応するアイコンをクリックすると、端末は、当該アプリケーションプログラムを起動することができる。ユーザが当該アプリケーションプログラムで検索画面に対応するオプションをクリックすると、端末は、当該オプションに対応するクリック命令を受信し、検索画面を表示する。図２に示されたように、検索画面には、少なくとも１つの検索処理に対応する特性イメージが設定されており、特性イメージは、対応する検索処理の検索結果の特性を示すためのものである。例えば、検索機能を有するアプリケーションプログラムが携帯電話の主題をダウンロードするためのアプリケーションプログラムであり、検索処理が青色の主題の検索と紫色の主題の検索などの検索処理であり、対応する特性イメージがそれぞれ青色の風船と紫色の風船である場合、検索画面に青色の風船と紫色の風船を表示することができる。ここで、検索画面における特性イメージの形状、及び大きさは、互いに同じであってもよく、互いに異なってもよく、例えば、特性イメージは、形状、及び大きさが同じである複数の風船であってもよく、形状、及び大きさが互いに異なる複数の風船であってもよい。また、検索画面には、検索欄が設定されていてもよく、ユーザは、検索欄に検索しようとするキーワードを入力した後に、検索オプションをクリックして検索を行うことができる。
【００３１】
また、総検索回数に基づいて、検索画面に表示される特性イメージを確定してもよく、該当する処理過程は、以下のようである。予め設定された過去時間内の総検索回数が最も多い所定数の検索処理に対応する特性イメージを取得し、取得した所定数の検索処理に対応する特性イメージが設定されている検索画面を表示する。
【００３２】
実施する際に、予め設定された過去時間内の、上記アプリケーションプログラムをインストールしたすべてのユーザの検索記録に基づいて、予め設定された過去時間内の総検索回数が最も多い所定数の検索処理に対応する特性イメージを確定することができる。ユーザが端末で検索操作を行うと、端末は、該当する検索処理を実行し、上記アプリケーションプログラムのバックグラウンドサーバに当該検索処理に対応する検索要求を送信し、バックグラウンドサーバは、当該要求を受信した後に、当該検索要求に基づいて端末に該当するデータを送信し、当該検索処理の情報（例えば、当該検索処理の識別子、当該検索処理を実行した時間など）を記憶することができる。検索処理を実行する具体的な過程に関して、下記で詳細に紹介する。
【００３３】
バックグラウンドサーバは、予め設定された過去時間内の、上記アプリケーションプログラムをインストールしたすべてのユーザに対応する検索処理を記録し、予め設定された過去時間内の、上記アプリケーションプログラムをインストールしたすべてのユーザの検索記録を取得し、当該検索記録に基づいて、予め設定された過去時間内の各検索処理に対応する総検索回数を統計して、総検索回数が最も多い所定数の検索処理を確定することができる。例えば、所定数が３つであり、バックグラウンドサーバが検索記録に基づいて、過去の３０日内に青色の主題を検索する検索処理の総検索回数が２２５０回であり、紫色の主題を検索する検索処理の総検索回数が３５２０回であり、赤色の主題を検索する検索処理の総検索回数が１８６４回であり、緑色の主題を検索する検索処理の総検索回数が２１７９回であると確定すると、総検索回数が最も多い３つの検索処理が紫色の主題の検索、青色の主題の検索、及び緑色の主題の検索であると確定することができる。
【００３４】
バックグラウンドサーバは、予め設定された過去時間内の総検索回数が最も多い所定数の検索処理を確定した後に、確定された検索処理の識別子をメッセージプッシュ方式で端末に送信してもよく、端末からの検索処理取得要求を受信した後に、端末に確定された検索処理の識別子を送信してもよい。端末は、バックグラウンドサーバから送信された検索処理の識別子を受信した後に、これらの検索処理の識別子に対応する検索処理を確定することができ、その後、確定された検索処理に対応する特性イメージを取得することができ、さらに、取得した所定数の検索処理に対応する特性イメージを検索画面に設定することができ、端末が検索画面を表示する際、検索画面の予め設定された位置に上記特性イメージを表示することができる。
【００３５】
また、ローカルの登録アカウントの予め設定された過去時間内の検索記録に基づいて、検索画面に表示される特性イメージを確定してもよく、該当する処理過程は、以下のようである。ローカルの登録アカウントの予め設定された過去時間内の総検索回数が最も多い所定数の検索処理に対応する特性イメージを取得する。
【００３６】
実施する際に、ローカルの登録アカウントの予め設定された過去時間内の検索記録に基づいて、予め設定された過去時間内の総検索回数が最も多い所定数の検索処理に対応する特性イメージを確定することができる。ユーザが端末で検索操作を行うと、端末は、該当する検索処理を実行し、当該検索処理の情報（例えば、当該検索処理の識別子、当該検索処理を実行した時間など）を記憶して、ローカルの登録アカウントの検索記録を取得する。
【００３７】
端末は、ローカルの登録アカウントの検索記録に基づいて、予め設定された過去時間内のローカルの登録アカウントの各検索処理に対応する総検索回数を統計し、総検索回数が最も多い所定数の検索処理を確定することができる。例えば、所定数が３つであり、端末が検索記録に基づいて、ローカルの登録アカウントが過去の３０日内に青色の主題を検索する検索処理の総検索回数が２５０回であり、紫色の主題を検索する検索処理の総検索回数が２６０回であり、赤色の主題を検索する検索処理の総検索回数が１６４回であり、緑色の主題を検索する検索処理の総検索回数が１７９回であると確定すると、総検索回数が最も多い３つの検索処理が紫色の主題の検索、青色の主題の検索、及び緑色の主題の検索であると確定することができる。
【００３８】
端末は、ローカルの登録アカウントの予め設定された過去時間内の総検索回数が最も多い所定数の検索処理を確定した後に、これらの検索処理の識別子に対応する検索処理を確定することができ、その後、確定された検索処理に対応する特性イメージを取得することができ、さらに、取得した所定数の検索処理に対応する特性イメージを検索画面に設定することができる。端末は、検索画面を表示する際、検索画面の予め設定された位置に上記特性イメージを表示することができる。
【００３９】
また、特性イメージの表示効果（エフェクト）は、ダイナミック表示（動的な表示）として設定されていてもよい。
【００４０】
実施する際に、端末は、少なくとも１つの検索処理に対応する特性イメージが設定されている検索画面を表示することができ、検索画面における検索処理に対応する特性イメージの表示効果は、ダイナミック表示として設定することができる。ダイナミック表示の方式は、様々な方式があり、例えば、特性イメージが、左右移動、上下移動、または予め設定された曲線の移動軌跡を描くように移動するように表示されるような表示効果である。
【００４１】
ステップ１０２において、第１の特性イメージに対応する選択命令を受信すると、第１の特性イメージに対応する第１の検索処理を実行して、第１の検索処理に対応する検索結果を取得する。
【００４２】
実施する際に、端末には、複数の検索処理が設定されており、各検索処理に応じて特性イメージが設定されており、検索処理と特性イメージは対応付けられている。ユーザは、ある検索を行おうとする際に、検索画面で該当する特性イメージ（即ち、第１の特性イメージ）を選択することができ、この場合、端末は、第１の特性イメージに対応する選択命令を受信し、その後、予め記憶されている検索処理と特性イメージの対応関係に基づいて、第１の特性イメージに対応する第１の検索処理を確定し、第１の検索処理を実行することができる。
【００４３】
端末には、各検索処理の識別子がさらに記憶されていてもよく、端末は、第１の特性イメージに対応する選択命令を受信すると、第１の特性イメージに対応する第１の検索処理の識別子を確定することができ、その後、上記アプリケーションプログラムのバックグラウンドサーバに第１の検索処理に対応する検索要求を送信することができ、当該検索要求には、第１の検索処理の識別子が含まれていてもよい。バックグラウンドサーバには、各検索処理の識別子に対応する検索結果が予め記憶されていてもよく、バックグラウンドサーバは、当該検索要求を受信した後に、当該検索要求を分析して、第１の検索処理の識別子を取得することができ、その後、ローカルのデータベースで第１の検索処理の識別子に対応する検索結果を照会することができ、さらに、照会した検索結果を端末に送信することができる。例えば、バックグラウンドサーバには、青色の主題を検索する検索処理の識別子に応じて１００個の青色の主題が記憶されており、赤色の主題を検索する検索処理の識別子に応じて４０個の赤色の主題が記憶されており、緑色の主題を検索する検索処理の識別子に応じて８０個の緑色の主題が記憶されていてもよく、青色の主題の検索に対応する検索要求を受信すると、１００個の青色の主題のデータを端末に送信することができる。
【００４４】
ステップ１０３において、第１の検索処理に対応する検索結果を表示する。
【００４５】
実施する際に、端末は、第１の検索処理に対応する検索結果を取得した後、検索結果画面を表示し、検索結果画面に第１の検索処理に対応する検索結果を表示することができる。また、端末には、各特性イメージに対応する検索キーワードがさらに記憶されていてもよく、例えば、検索処理が青色の主題の検索であり、対応する特性イメージが青色の風船である場合、青色の風船に対応する検索キーワードは、青色の主題である。端末の検索結果画面には、第１の検索処理に対応する検索結果が表示できるだけではなく、図３に示されたように、検索キーワードＡのような第１の特性イメージに対応する検索キーワードがさらに表示されてユーザにプロンプト（通知）することもできる。
【００４６】
また、ユーザにより検索画面における特性イメージを追加してもよく、該当する処理過程は、以下のようである。検索処理追加命令を受信すると、少なくとも１つの検索処理に対応する特性イメージが表示されている検索処理追加画面を表示し、検索処理追加画面における第２の特性イメージに対応する選択命令を受信すると、第２の特性イメージを検索画面に追加する。
【００４７】
実施する際に、検索画面には検索処理追加オプションが設定されてもよく、ユーザが検索処理追加オプションをクリックすると、端末は、検索処理追加命令を受信し、少なくとも１つの検索処理に対応する特性イメージが表示されている検索処理追加画面を表示することができる。ユーザは、追加しようとする検索処理に対応する特性イメージ（即ち、第２の特性イメージ）を選択することができ、この場合、端末は、検索処理追加画面における第２の特性イメージに対応する選択命令を受信し、第２の特性イメージを検索画面に追加することができる。
【００４８】
本発明の実施例において、少なくとも１つの検索処理に対応する特性イメージであって、対応する検索処理の検索結果の特性を示すための特性イメージが設定されている検索画面を表示し、第１の特性イメージに対応する選択命令を受信すると、第１の特性イメージに対応する第１の検索処理を実行して、第１の検索処理に対応する検索結果を取得し、第１の検索処理に対応する検索結果を表示することによって、検索しようとするキーワードを手動で入力する必要がなく、ユーザが検索画面で特性イメージを選択するだけで検索を行うことができるため、検索効率を向上させることができる。
【００４９】
本発明のさらに別の例示的な実施例は、検索装置を提供し、図４に示されたように、当該装置は、第１の表示モジュール４１０、実行モジュール４２０、及び第２の表示モジュール４３０を含む。
【００５０】
第１の表示モジュール４１０は、少なくとも１つの検索処理に対応する特性イメージが設定されている検索画面を表示するためのものである。ここで、上記特性イメージは、対応する検索処理の検索結果の特性を示すためのものである。
【００５１】
実行モジュール４２０は、第１の特性イメージに対応する選択命令を受信すると、上記第１の特性イメージに対応する第１の検索処理を実行して、上記第１の検索処理に対応する検索結果を取得するためのものである。
【００５２】
第２の表示モジュール４３０は、上記第１の検索処理に対応する検索結果を表示するためのものである。
【００５３】
また、図５に示されたように、上記装置は、
予め設定された過去時間内の総検索回数が最も多い所定数の検索処理に対応する特性イメージを取得するための取得モジュール４４０をさらに含んでもよい。
【００５４】
上記第１の表示モジュール４１０は、取得した上記所定数の検索処理に対応する特性イメージが設定されている検索画面を表示する。
【００５５】
また、上記取得モジュール４４０は、ローカルの登録アカウントの予め設定された過去時間内の総検索回数が最も多い所定数の検索処理に対応する特性イメージを取得してもよい。
【００５６】
図６に示されたように、上記装置は、
検索処理追加命令を受信し、少なくとも１つの検索処理に対応する特性イメージが表示されている検索処理追加画面を表示するための第３の表示モジュール４５０と、
上記検索処理追加画面における第２の特性イメージに対応する選択命令を受信し、上記第２の特性イメージを上記検索画面に追加するための追加モジュール４６０と、
をさらに含んでもよい。
【００５７】
上記特性イメージの表示効果は、ダイナミック表示として設定されてもよい。
【００５８】
上記実施例の装置において、その各モジュールが動作を行う具体的な方式は、既に関連する方法実施例で詳しく説明したので、ここで詳細な説明をしない。
本発明の実施例において、少なくとも１つの検索処理に対応する特性イメージであって、対応する検索処理の検索結果の特性を示すための特性イメージが設定されている検索画面を表示し、第１の特性イメージに対応する選択命令を受信すると、第１の特性イメージに対応する第１の検索処理を実行して、第１の検索処理に対応する検索結果を取得し、第１の検索処理に対応する検索結果を表示することによって、検索しようとするキーワードを手動で入力する必要がなく、ユーザが検索画面で特性イメージを選択するだけで検索を行うことができるため、検索効率を向上させることができる。
【００５９】
上記実施例に係る検索装置においては、検索時に、単に上記各機能的モジュールのように区画してその機能を実行することを例として説明したが、実際の応用時に、必要に応じて、上記機能を異なる機能的モジュールに割り当てて完成させてもよいことに留意すべきである。即ち、装置の内部構成を異なる機能的モジュールに区画して、上記の機能の全て又は一部を完成させる。また、上記実施例に係る検索装置は、検索方法と同一の思想に基づくものであり、その具体的な実現過程については、方法の実施例を参照されたく、ここでの記載を割愛する。
【００６０】
本発明のさらに別の例示的な実施例は、端末の構成模式図を提供する。当該端末は、携帯電話などであってもよい。
【００６１】
図７を参照すると、端末８００は、プロセスアセンブリ８０２、メモリ８０４、電源アセンブリ８０６、マルチメディアアセンブリ８０８、オーディオアセンブリ８１０、入出力（Ｉ／Ｏ）インタフェース８１２、センサアセンブリ８１４、及び通信アセンブリ８１６のような１つ或いは複数のアセンブリを含んでもよい。
【００６２】
プロセスアセンブリ８０２は、一般的には端末８００の全体の動作を制御するものであり、例えば、表示、電話呼び出し、データ通信、カメラ操作、及び記録操作と関連する操作を制御する。プロセスアセンブリ８０２は、１つ以上のプロセッサ８２０を含み、これらによって命令を実行することにより、上記の方法の全部、或は一部のステップを実現するようにしてもよい。なお、プロセスアセンブリ８０２は、１つ以上のモジュールを含んでプロセスアセンブリ８０２と他のアセンブリの間のインタラクションを容易にしてもよい。例えば、プロセスアセンブリ８０２は、マルチメディアモジュールを含んでマルチメディアアセンブリ８０８とプロセスアセンブリ８０２の間のインタラクションを容易にしてもよい。
【００６３】
メモリ８０４は、各種類のデータを記憶することにより端末８００の動作を支援するように構成される。これらのデータの例は、端末８００において操作されるいずれのアプリケーションプログラム又は方法の命令、連絡対象データ、電話帳データ、メッセージ、画像、ビデオ等を含む。メモリ８０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【００６４】
電源アセンブリ８０６は、端末８００の各アセンブリに電力を供給する。電源アセンブリ８０６は、電源管理システム、１つ或いは複数の電源、及び端末８００のための電力の生成、管理、及び割り当てに関連する他のアセンブリを含んでもよい。
【００６５】
マルチメディアアセンブリ８０８は、上記端末８００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ８０８は、１つのフロントカメラ、及び／又はリアカメラを含む。端末８００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【００６６】
オーディオアセンブリ８１０は、オーディオ信号を入出力するように構成される。例えば、オーディオアセンブリ８１０は、１つのマイク（ＭＩＣ）を含み、端末８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりする。部分実施例において、オーディオアセンブリ８１０は、オーディオ信号を出力するための１つのスピーカーをさらに含む。
【００６７】
Ｉ／Ｏインタフェース８１２は、プロセスアセンブリ８０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【００６８】
センサアセンブリ８１４は、端末８００に各方面の状態に対する評価を提供するための１つ以上のセンサを含む。例えば、センサアセンブリ８１４は、端末８００のＯＮ／ＯＦＦ状態、端末８００のディスプレイとキーパッドのようなアセンブリの相対的な位置決めを検出できる。また、センサアセンブリ８１４は、端末８００、或いは端末８００の１つのアセンブリの位置変更、ユーザと端末８００とが接触しているか否か、端末８００の方位、又は加速／減速、端末８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ画像センサのような光センサを含んでもよい。部分実施例において、当該センサアセンブリ８１４は、加速度センサ、ジャイロスコープセンサ、磁気センサ、圧力センサ、及び温度センサをさらに含んでもよい。
【００６９】
通信アセンブリ８１６は、端末８００と他の機器の間に有線、又は無線形態の通信を提供する。端末８００は、例えばＷｉＦｉ、２Ｇ、３Ｇ、或はこれらの組み合わせのような、通信規格に基づいた無線ネットワークに接続されてもよい。１つの例示的な実施例において、通信アセンブリ８１６は、放送チャンネルを介して外部の放送管理システムからの放送信号、又は放送に関連する情報を受信する。１つの例示的な実施例において、上記通信アセンブリ８１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、及び他の技術に基づいて実現できる。
【００７０】
例示的な実施例において、端末８００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００７１】
例示的な実施例において、命令を含むコンピュータ読取り可能な非一時的な記録媒体、例えば命令を含むメモリ８０４をさらに提供し、端末８００のプロセッサ８２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピー（登録商標）ディスク、光データ記憶デバイス等である。
【００７２】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【００７３】
本発明は、上記で記述し、図面で図示した特定の構成に限定されず、その範囲を離脱しない状況で、様々な修正と変更を実現できる。本発明の範囲は、添付される特許請求の範囲のみにより限定される。
【００７４】
本願は、出願番号がＣＮ２０１５１０３１６９１０．５であって、出願日が２０１５年６月１０日である中国特許出願に基づき優先権を主張し、当該中国特許出願のすべての内容を本願に援用する。